(57)【要約】【要約書】【課題】  体から放射で失われる熱を遮断することにより、保温能力が優れた省エネ保温カバーを提供する。【解決手段】    熱線吸収シートと、熱線反射シートを重ね合わせ、この両面を布で覆って省エネ保温カバーを構成する。外部からの加熱が必要な場合は、熱線吸収シートを通電によって４０℃程度に加熱し、放射される熱線によって体を温める。【選択図】      図１2005212471.tif 000003
2005212471.tif 000002
【特許請求の範囲】
【請求項１】
熱線吸収シートと、熱線反射シートを重ね、シートの両面を布で覆って構成する省エネ保温カバー。
【請求項２】
熱線吸収シートと、熱線反射シートを一枚にまとめて、片面を熱線吸収層、他の面を熱線反射層とした省エネ保温カバー。
【請求項３】
熱線を吸収するシートが炭素繊維、炭素シート、あるいは炭素微粉末のいずれかを含み、熱線反射層がアルミニュウム、あるいはその合金の箔、微粉末あるいは蒸着面である省エネ保温カバー。
【請求項４】
熱線を吸収するシートを通電することによって体を温めることができる省エネ保温カバー。
【発明の詳細な説明】
【発明の詳細な説明】
【技術分野】
【０００１】  本発明は、人体から放射される熱を吸収し、人体に向けて再放射することによって体温の低下を防止するとともに、極寒時には少ない電力による加熱で体を温めることができる省エネ保温カバーに関する。
【背景技術】
【０００２】    気温が低い時に寒く感じるのは、体温が冷気に奪われて下がるためである。体温が空気に伝わるには伝導、対流、放射の三つの異なる機構があり、従来の衣服は対策が簡単な熱伝導と対流を防止して体を温めるように作られている。しかし体からの熱放射は普通の繊維を透過するので、放射熱損失に対する保温効果は少ない。【０００３】  体からの放射熱損失を従来の保温技術が見過ごしていた大きな理由に、放射熱損失は絶対温度の４乗に比例する（シュテファン・ボルツマンの法則）という温度依存性の問題がある。この法則によれば、体温程度の熱源からの放射熱量は高温熱源に比べてきわめて少ない。通常の放射温度計の利用可能温度範囲が５００℃以上であるのはこの理由による。【０００４】  また、放射のエネルギーと、それが最大になる波長は反比例するというウイーンの変位則によれば、波長が６μｍ以上の赤外線の強度分布はきわめて小さい。人体から放射される熱線の波長は約１０μｍなので、放射強度はさらに弱い印象を受ける。【０００５】  熱放射に関する上記の２法則は、高温熱源からの熱放射量に比べると、低温熱源からの熱放射量は少ないことを示しており、体温程度の熱源からの熱放射の絶対量が少ないことを示すものではない。【０００６】  近年、遠赤外線の研究が進展するのに伴い、体からの放射熱損失が注目されるようになり、遠赤外線を放射する炭素粒子、セラミックスの微粒子を練りこんだシーツが開発されている（特許文献）。これは体から放射される遠赤外線をセラミック粒子が捕らえて、再放出する現象を利用している。この方式によればセラミック粒子が放出する遠赤外線の半分は外気側に向かうので効率に問題が残る。【０００７】
【特許文献】特開平１１−２０６５３９
【発明が解決しようとする課題】
【０００８】  従来の生地に放射熱損失を防止する機構を付加することによって、厚着をしなくても寒冷時に暖かい省エネ保温カバーを作る。
【課題を解決するための手段】
【０００９】  本発明者らは、人体表面は熱放射率が０．９８ときわめて大きく、寒冷時には体内でのエネルギー消費と発熱量が多いことに注目して、上記の課題を解決するために、鋭意研究を行った。その結果、熱放射率が最大の物質である炭素と、放射率がきわめて小さい鏡面金属を組み合わせたシートを作り、その両面を普通の布で覆った構造にすると放射および伝導による熱損失がきわめて少ない布ができるとの知見を得た。
本発明はこの知見に基づき、
１．熱線を吸収するシートと、熱線を反射するシートを重ね、シートの両面を布で覆って構成する省エネ保温カバー。
２．熱線吸収シートと、熱線反射シートを一枚にまとめて、片面を熱線吸収層、他面を熱線反射層とした省エネ保温カバー。
３．熱線を吸収するシートが炭素繊維、炭素シート、あるいは炭素微粉末のいずれかを含み、熱線反射層がアルミニュウム箔、微粉末あるいは蒸着面のいずれかである省エネ保温カバー。
４．熱線吸収シートを通電によって加熱できる省エネ保温カバーを提供する。
【発明を実施するための最良の形態】
【００１０】  本発明は、炭素が熱線の優れた吸収・放射材料であることに着目して、人体から放出される熱線を、熱線吸収シートによって補足する。これにより加温された熱線吸収シートから再放射される熱線の半分は直接に体を暖め、体の反対方向に向かう残り半分の放射は熱線反射シートが体に送り返すので効率的な体の保温ができる。【００１１】  熱線を吸収するシートと反射するシートが薄い場合、その機能に及ぼす厚さの影響は少ない。従って熱線の吸収と反射は別々のシートであっても、同じシートの両面にその機能を持たせても効果に変わりはない。これらのシートの両面を布で覆うことにより、外観は普通の布であり、触感も普通の布に近いが、きわめて効果的に体を保温することができる。
【実施例及び比較例】
【００１２】  以下に本発明の実施例を示すが、これらはあくまで本発明の一例に過ぎず、下記の実施例の条件に本発明が制限されることはない。すなわち、本発明は明細書に記載する技術思想の範囲で、構成上の変更、変形又は他の実施例は当然含まれるものである。
【００１３】（実施例１）
厚さ１５μｍの軟質塩化ビニルシートの片面に黒鉛微粉をスプレー塗布し、片面にアルミニュウムを蒸着して、熱線吸収・反射シートとした。この両面を厚さ約１ｍｍの布で覆い、両面から加熱プレスすることによって省エネ保温カバーを作製した。この省エネ保温カバーの黒鉛スプレー面を体側として、ソファーの腰掛け面と背もたれに取り付けた。靴下の内面に省エネ保温カバーを装着し、手の先端から２０ｃｍを保温布の円筒で覆った。さらに腰と下肢部を省エネ保温カバーにより覆った状態で室温５℃の部屋で１時間過ごした。１０分間ほどすると寒さを感じなくなり、暖房なしでも過ごすことが可能であった。
【００１４】（比較例）
実施例１の塩化ビニルシートを吸収層も反射層もない透明な状態で使用して、その両面を布で覆った。この布を実施例１と同じ状態に設置して５℃の部屋で１時間過ごしたところ、背中、手先、太もも、足先が冷たく、保温の目的には不充分であった。
【００１５】（実施例２）
熱線反射シートと覆い布は実施例１と同じものを用い、熱線吸収シートとして寸法が４０ｃｍｘ３０ｃｍ、厚さ２ｍｍの炭素繊維不織布を用いた。この両側にアルミニュウムの電極を取り付けて３．５ボルト、２．５アンペア（約９ワット）の交流を加えると、省エネ保温カバーはわずかに暖かくなった。５℃の部屋で素足をこの省エネ保温カバーに載せて、足の周囲を実施例１の通電しない省エネ保温カバーで覆った。加熱した省エネ保温カバーから放射される熱線によって５分間ほどで足全体が暖かくなった。従来の省エネ保温カバーのように最初の数分間は足が冷えるという欠点はなく、また、半分の消費電力で足温器としての機能を果たした。
【発明の効果】
本発明は体からの放射によって失われる熱を、熱線吸収シートで回収し、再放出することによって体を温めるものである。熱線吸収シートと熱線反射シートを組み合わせて使うことによって再放出される熱線をきわめて効果的に体の保温に使うことができる。熱線吸収シートと反射シートは二枚を貼り合わせても、一枚のシートの両面にそれぞれの機能を持たせても効果に変わりはない。このシートをサンドイッチ状に覆う布によって、熱伝導と対流による熱損失を防止するとともに、外観と感触を良好なものとすることができる。熱線吸収シートと反射シートが電気的に絶縁されている場合は、熱線吸収シートである炭素繊維あるいは炭素シートを通電によって加熱することにより、積極的に体を温めることができる。加熱のための印加電圧は３ボルト程度と低く、加熱温度は４０℃程度で体を温める効果の大きい波長１０μｍ程度の熱線を多量に放射するので、感電、低温火傷、過熱の心配はない。
【図面の簡単な説明】
【図１】本発明の構成を示す図である。
【符号の説明】
１．布
２．熱線吸収シート
３．熱線反射シート
４．布
【図１】
2005212471.tif 000004